(57)【要約】  【課題】  ケーシングのアクセス用開口を開閉自在に覆うシャッタのロックをこのシャッタに組込まれた解除部材によってロック解除を行なうようにしたディスクカートリッジにおいて、上記解除部材を介してシャッタに加わるねじりばねの付勢力によって解除部材がクリープ変形を起してシャッタが閉まりきらなくなる不具合を防止する。  【解決手段】  ケーシング１０の下シェル１２の中心孔１３とアクセス用開口１４とを開閉自在に覆うシャッタ１７の内側に解除部材１８を設けるようにし、この解除部材１８によってロック板１９によるロックを解除するとともに、解除部材１８を介してねじりばね２０によってシャッタ１７に閉じる方向の付勢力が作用するようにし、しかもシャッタ１７が完全に開放された場合にはねじりばね２０の屈曲部２３が解除部材１８の係合孔５４内で遊ぶとともに、ねじりばね３０の屈曲部６３を有するアームがシャッタ１７の側端に直接当接してねじりばね２０の力を受けるようにする。【選択図】  図３３
2005038562.tif 000002
【特許請求の範囲】
【請求項１】
ケーシングの開口を開閉自在に覆うように取付けられるシャッタを開いて前記開口を通して前記ケーシング内のディスクにアクセスするようにしたディスクカートリッジにおいて、
前記ケーシングに設けられているロック部材と、
前記シャッタが前記開口を閉じた状態で前記ロック部材によってロックされるように前記シャッタに設けられている被ロック部と、
前記シャッタに取付けられており、前記シャッタの被ロック部の前記ロック部材によるロックを解除する解除部材と、
前記解除部材を介して前記シャッタを閉じる方向に付勢するばねと、
を具備し、前記ばねは前記シャッタが閉じられた状態で前記解除部材を介して前記シャッタを閉じる方向に付勢するとともに、前記シャッタが開放された状態で前記シャッタを直接閉じる方向に付勢することを特徴とするディスクカートリッジ。
【請求項２】
前記ばねがねじりばねから構成され、巻回部に対してその両側にそれぞれアームが延出されるとともに、該アームの先端が屈曲部になっていることを特徴とする請求項１に記載のディスクカートリッジ。
【請求項３】
前記ねじりばねの一方のアームの先端側の屈曲部が前記解除部材の係合孔に係合されるとともに、他方のアームの先端側の屈曲部がケーシングの溝に係合しており、前記シャッタの開閉動作に連動して両側のアームのなす角度が変化するように変形することを特徴とする請求項２に記載のディスクカートリッジ。
【請求項４】
前記シャッタが開放された状態で前記ねじりばねの巻回部が前記ケーシングの壁面に当接してその姿勢が規制され、該姿勢の規制によって前記一方のアームが前記シャッタの側端に当接するとともに、前記一方のアームの先端側の屈曲部が前記解除部材の係合孔の前記シャッタを閉じる方向のエッジから離間することを特徴とする請求項３に記載のディスクカートリッジ。
【請求項５】
前記解除部材は一端側に前記係合孔が設けられるとともに、他端側にカムが設けられ、該カムによってケーシングに組込まれたロック板を前記シャッタの被ロック部から離間させてロック解除を行なうことを特徴とする請求項４に記載のディスクカートリッジ。
【発明の詳細な説明】
【技術分野】
【０００１】
本発明はディスクカートリッジに係り、とくにケーシングの開口を開閉自在に覆うように取付けられるシャッタを開いて上記開口を通してケーシング内のディスクにアクセスするようにしたディスクカートリッジに関する。
【背景技術】
【０００２】
光ディスク等のディスク状記録媒体を用いて信号の書込みあるいは読出しを行なうようにした光ディスクプレーヤが広く普及している。そして上記光ディスクを保護するために、上記ディスクをケーシング内に収納してカートリッジ式にしたものが提案されている。この場合には、ケーシングの開口を開閉自在に覆うように取付けられるシャッタを開いて、上記開口を通してケーシング内のディスクに光ピックアップがアクセスすることによって信号の書込みあるいは読出しが行なわれる。そしてアクセスのための開口を開放したままの状態にしておくと、この開口を通してディスクが汚損されたり破損したりするために、カートリッジ式にしたことの意味がなくなる。そこで上記開口を開閉式のシャッタによって覆うようにしている。
【０００３】
このようなディスクカートリッジにおいては、例えば特公平７−８９４３１号公報に開示されているように、ほぼ四角なケース内にディスクを包含し、このケースのコーナの部分にねじりコイルばねの復元力でシャッタ部材を移動させてヘッド挿入窓を閉状態にし、ロック手段によってシャッタ部材を該状態に係合保持している。また特開２０００−９０６３４号公報には、ねじりコイルばねによってテープカートリッジの蓋の部分を閉じるように付勢した磁気テープカートリッジが開示されている。
【０００４】
上記特公平７−８９４３１号公報に開示されているディスクカートリッジにおいては、ロック爪を外部のアームで移動させてシャッタの係合部との係合を解除してロック解除を行ない、これによってシャッタを自由に動き得るようにしていた。このような構造は、外部のアームがケーシング内に侵入してロック部材を解除するために十分なスペースがある場合に可能になる。ところが外部からアームが侵入するのに必要なスペースをケーシング内に確保できない場合には、特公平７−８９４３１号公報に開示されているようなロック機構を採用することができない。
【０００５】
このようなロック解除のためのケーシング内のスペース上の問題を解決する１つの方策は、シャッタの内部に解除部材を組込むことである。この解除部材をシャッタに対して相対的に移動させることにより、シャッタのロックを解除することが可能になる。ところがこの場合に解除部材を介してシャッタを閉じる方向に付勢することになる。従ってシャッタが閉じられている場合には、ばねはほぼ復元状態にあって解除部材に対するばねの付勢力が非常に小さくなる。ところがシャッタが開放された状態においては、ばねは弾性エネルギがチャージされた状態になるために、解除部材に対して大きな力が作用する。
【０００６】
従ってシャッタを開放した状態に放置すると、解除部材がばねによって大きな応力を受けた状態で放置されることになり、解除部材がクリープ変形を起す可能性がある。とくに解除部材をプラスチック材料から構成した場合には、高温状態でシャッタを開放状態で放置した場合に解除部材がクリープ変形し、これによってシャッタが完全に閉まらなくなる可能性を生ずる。またこのような理由から、解除部材を製作する材料が制限される可能性がある。
【０００７】
【特許文献１】特公平７−８９４３１号公報
【特許文献２】特開２０００−９０６３４号公報
【発明の開示】
【発明が解決しようとする課題】
【０００８】
本願発明の課題は、シャッタにロック解除のための解除部材を組込んだディスクカートリッジにおいて、とくにシャッタを開放したときに解除部材にばねによる大きな応力が作用しないようにしたディスクカートリッジを提供することである。
【０００９】
本願発明の別の課題は、高温環境下においてシャッタを開放状態で放置しても解除部材がクリープ変形を起さず、これによってシャッタが完全に閉まらなくなる不具合を防止するようにしたディスクカートリッジを提供することである。
【００１０】
本願のさらに別の課題は、解除部材を製作するための材料の制限をなくすようにしたディスクカートリッジを提供することである。
【課題を解決するための手段】
【００１１】
本願の主要な発明は、ケーシングの開口を開閉自在に覆うように取付けられるシャッタを開いて前記開口を通して前記ケーシング内のディスクにアクセスするようにしたディスクカートリッジにおいて、
前記ケーシングに設けられているロック部材と、
前記シャッタが前記開口を閉じた状態で前記ロック部材によってロックされるように前記シャッタに設けられている被ロック部と、
前記シャッタに取付けられており、前記シャッタの被ロック部の前記ロック部材によるロックを解除する解除部材と、
前記解除部材を介して前記シャッタを閉じる方向に付勢するばねと、
を具備し、前記ばねは前記シャッタが閉じられた状態で前記解除部材を介して前記シャッタを閉じる方向に付勢するとともに、前記シャッタが開放された状態で前記シャッタを直接閉じる方向に付勢することを特徴とするディスクカートリッジに関するものである。
【００１２】
ここで前記ばねがねじりばねから構成され、巻回部に対してその両側にそれぞれアームが延出されるとともに、該アームの先端が屈曲部になっていることが好ましい。また前記ねじりばねの一方のアームの先端側の屈曲部が前記解除部材の係合孔に係合されるとともに、他方のアームの先端側の屈曲部がケーシングの溝に係合しており、前記シャッタの開閉動作に連動して両側のアームのなす角度が変化するように変形することが好ましい。また前記シャッタが開放された状態で前記ねじりばねの巻回部が前記ケーシングの壁面に当接してその姿勢が規制され、該姿勢の規制によって前記一方のアームが前記シャッタの側端に当接するとともに、前記一方のアームの先端側の屈曲部が前記解除部材の係合孔の前記シャッタを閉じる方向のエッジから離間することが好ましい。また前記解除部材は一端側に前記係合孔が設けられるとともに、他端側にカムが設けられ、該カムによってケーシングに組込まれたロック板を前記シャッタの被ロック部から離間させてロック解除を行なうことが好ましい。
【００１３】
本願発明の好ましい態様は、ディスクカートリッジのシャッタのロック機構の改善に係り、シャッタが閉じられている状態においてこのシャッタを閉じる方向に付勢する戻しばねの力が解除部材を介してシャッタに作用し、シャッタはケーシングの当接段部に当接することになる。このときにばねはほぼ伸びきった状態に近いので、そのばね力が弱く、細長い解除部材をプラスチックから構成しても、永久変形、すなわちクリープ変形させることがなくなる。ところが逆にシャッタが開放されたときには、戻しばねの弾性復元力が最大になり、このために解除部材に対して大きな力が加わり、解除部材を変形させる恐れがある。そこでこの態様においては、シャッタが開放された状態におけるばねの姿勢の変化を利用し、ばねの力が解除部材に加わることがなく直接シャッタに加わるようにしたものである。
【００１４】
シャッタがほぼ閉じられた状態においてはばねのアームが解除部材をその長さ方向に押圧し、これに対してシャッタが開いてくると段々ばねのアームが解除部材に対してその角度を大きくするように姿勢を変化させる。そしてシャッタが完全に開放される直前においてばねの両側のアームがほぼ互いに平行になり、このようなばねのアームの姿勢の変化を利用し、互いに平行に近くなるとアームがシャッタと直接接触するような寸法関係としている。とくにばねのコイル部分の移動を制限する壁をケーシングの壁面に設けることが特徴であって、このような壁面を利用してばねのコイル部分の移動を制限すると、解除部材に対して弾性復元力を与えるばねの先端部の姿勢を安定にすることが可能になる。
【００１５】
上記のような態様によると、高温環境下においてディスクプレーヤにカートリッジを装着し、これによってシャッタを開放状態に放置しても、このときにばねの弾性復元力が解除部材に実質的に作用しないために、上記解除部材がばねの力によってクリープ変形を起すことが防止される。従って解除部材のクリープ変形に伴うシャッタの閉鎖不良の不具合を回避できるようになる。またシャッタが完全に開かれた状態で解除部材に対してばねの力が加わらなくなるために、解除部材がクリープ変形を起さないように特殊な材料を用いる必要がなくなり、解除部材を安価な通常のプラスチック材料から製作することが可能になる。
【発明の効果】
【００１６】
本願の主要な発明によれば、シャッタを閉じる方向に付勢するばねはシャッタが閉じられた状態で解除部材を介してシャッタを閉じる方向に付勢するとともに、シャッタが開放された状態でシャッタを直接閉じる方向に付勢するようにしたものである。従ってシャッタが開放され大きな弾性復元力が作用する状態において、解除部材に上記の大きな弾性復元力から成るばねの力が作用することがなくなり、この力がシャッタに直接作用することになる。従ってシャッタが開放された状態で解除部材がばねによって大きな力を受けることが回避される。一般にディスクカートリッジはディスクプレーヤに装着されると、そのシャッタが開放状態に維持される。従ってシャッタが長時間にわたって開放状態に放置される可能性がるが、この場合においても解除部材にばねの弾性復元力が作用することがなく、解除部材がクリープ変形してシャッタが閉まりきらなくなる不具合を未然に回避できるようになる。
【発明を実施するための最良の形態】
【００１７】
以下本願発明を図示の実施の形態によって説明する。図１は本実施の形態に係るディスクカートリッジの全体の構造を示すものであって、このディスクカートリッジは偏平なケーシング１０を備えている。すなわちケーシング１０は互いに上下から接合される合成樹脂製の上シェル１１と下シェル１２とから構成されている。下シェル１２のほぼ中央部にはターンテーブルが侵入する円形の中心孔１３が形成されるとともに、この中心孔１３と連続するように下シェル１２の側面に延びるようなアクセス用開口１４が形成されている。このアクセス用開口１４を通して内部に収納されるディスク６５に対して光ピックアップがディスク６５の半径方向に移動しながらアクセスする。
【００１８】
上記下シェル１２の中心孔１３およびアクセス用開口１４を開閉自在に覆うようにシャッタ１７が取付けられる。シャッタ１７はさらに棒状をなす解除部材１８を備えるとともに、シャッタ１７が板ばねから成るロック板１９によって閉じた状態でロックされるようになっている。またシャッタ１７はねじりばね２０によって閉じる方向に付勢される。
【００１９】
次に上シェル１１の構造を図２〜図４によって説明する。上シェル１１の外表面、すなわち上面にはラベル貼付け用凹部２３が形成される。また上シェル１１には下シェル１２と結合するための結合用ビス穴２４が形成される。また上シェル１１の内表面には図３に示すように円形の凹部２５が形成される。さらに上シェル１１の内表面であってその一側部には係止溝２７が形成される。この係止溝２７はシャッタ１７の後述する被係止部４２を受入れるためのものである。
【００２０】
次に下シェル１２の構造を図５〜図８によって説明する。下シェル１２の内表面には円形の凹部３０が形成され、この凹部３０内にディスク６５が保持されるようになっている。また上シェル１１の結合用ビス穴２４と対応する位置にはボス３１が形成されるとともに、このボス３１の中心部に雌ねじ孔３２が形成される。従って上記上シェル１１の結合用ビス穴２４を挿通するビスを上記雌ねじ孔３２に螺着することによって、上下のシェル１１、１２が互いに結合されてケーシング１０が組立てられる。
【００２１】
上記下シェル１２の側部には段部３３が形成される。この段部３３は上記解除部材１８が摺動する摺動面を構成している。また下シェル１２の下面には摺動用凹部３４が形成され、上記シャッタ１７がこの摺動用凹部３４を摺動して上記アクセス用開口１４を開閉するようにしている。また上記摺動用凹部３４の奥の部位にはさらに深い凹部３５が形成されている。この凹部３５は上記シャッタ１７の先端側の屈曲部４４を受入れるものである。また下シェル１２の下面であって上記段部３３の下側の位置には係止溝３６が形成されている。この係止溝３６はシャッタ１７の後述する被係止部４３を受入れるようになっている。
【００２２】
次に上記ケーシング１０の下シェル１２の中心孔１３およびアクセス用開口１４を一緒に開閉するシャッタ１７について説明すると、シャッタ１７は図９〜図１３に示すように、ほぼ矩形の金属板から構成され、その長さ方向の一端側には直角に折曲った側壁３８が形成されている。そしてこの側壁３８の側端側にはシャッタ１７の主面とほぼ平行な方向に突出するように爪３９が形成される。この爪３９が被ロック部を構成する。また側壁３８の上縁には一対の保持片４０が形成される。これらの保持片４０は上記下シェル１２の段部３３上を摺動する解除部材１８を押えるためのものである。
【００２３】
またシャッタ１７のシャッタ１７の側壁３８の上端には一対の突片４１が形成され、これらの突片４１の先端側の部分には上方に突出するように被係止部４２が形成されている。この被係止部４２が上シェル１１の内表面に形成される係止溝２７と係合され、これによってシャッタ１７がケーシング１０から脱落するのを防止している。さらに上記側壁３８の爪３９とは反対側の側端部に被係止部４３が形成され、この被係止部４３が下シェル１２の下面の係止溝３６に係合されてシャッタ１７がケーシング１０から脱落するのを防止している。またシャッタ１７の上記側壁３８が形成されている端部とは反対側の端部に屈曲部４４が形成され、この屈曲部４４が下シェル１２の下面の深い凹部３５内に受入れられており、これによってシャッタ１７の屈曲部４４が形成されている先端部が異物等に引掛からないようにしている。
【００２４】
次にシャッタ１７の側壁３８の内側に保持された状態で下シェル１２の段部３６上を摺動する解除部材１８について図１４〜図１６により説明する。この解除部材１８はその側端に凹部４７を備えている。そして凹部４７の一端であって図１４〜図１６において左端側の部分にカム４８が形成される。そして上記凹部４７に開放するようにこの解除部材１８には横方向に貫通穴４９が形成される。この貫通穴４９を上記シャッタ１７の爪３９が挿通するようになっている。また上記貫通穴４９の背面側であってこの解除部材１８の背面側の部分には段部５０が形成されている。
【００２５】
さらに解除部材１８には上記貫通穴４９が形成される部分とは反対側の端部に段部５１が形成されている。そして段部５１には切込み５２が形成されるとともに、この切込み５２を横切るように連結部５３が形成され、この連結部５３の内側が係合孔５４になっている。係合孔５４は上記ねじりコイルばね２０の一端の屈曲部６３を受入れるようになっている。
【００２６】
次に上記シャッタ１７をロックするためのロック板１９について説明する。ロック板１９は細長い板ばねによって図１７〜図１９に示すように、ほぼへの字状に屈曲させたものであって、この板ばね１９の一端側の部分にはその上下に突出するように突部５７が形成されている。これらの突部５７は上シェル１１と下シェル１２とによって保持され、これによってこの板ばね１９をケーシング１０の内部の所定の位置に保持するようにしている。また板ばね１９の長さ方向のほぼ中間位置であってへの字状の屈曲部の近傍には横長のロック孔５８が形成されている。またこの板ばね１９の上記突部５７が形成されている端部とは反対側の端部にはほぼ水平な受け面５９が形成される。この受け面５９が下シェル１２の壁面に当接するようになっている。
【００２７】
次に上記シャッタ１７を閉じる方向に付勢するねじりばね２０について図２０〜図２２により説明する。ねじりばね２０は断面が円形の細長いワイヤを巻回して構成したものであって、その両端はそれぞれ互いに逆方向に延びるアームを備えるとともに、左右に延びたアームの先端側の部分にそれぞれ屈曲部６２、６３が形成されている。これらのアームの屈曲部６２、６３の内一方の屈曲部６２がシェル１２の凹部によって受けられるとともに、他方の屈曲部６３が上記解除部材１８の係合孔５４に係合するようになっている。
【００２８】
次にこのようなディスクカートリッジのとくにロック機構を図２３によって説明する。シャッタ１７のロック機構はこのシャッタ１７に設けられている爪３９と、この爪３９が挿通される貫通孔４９を備える解除部材１８と、板ばねから成るロック板１９とによって構成される。解除部材１８は下シェル１２の段部３３上において上記シャッタ１７の側壁３８と保持片４０とによって保持された状態でシャッタ１７の側壁３８の内側に組込まれる。そしてこのときにシャッタ１７の爪３９が解除部材１８の貫通穴４９内を挿入するとともに、爪３９の先端部がこの貫通孔４９から突出してロック板１９のロック孔５８に係合し、これによってロックが行なわれる。
【００２９】
図２４Ａはシャッタ１７の爪３９がロック板１９のロック孔５８の一方のエッジに係合し、これによってシャッタ１７がロックされた状態を示している。このときに爪３９は解除部材１８の貫通穴４９の下側の側壁部分に当接している。すなわちロック状態においては、シャッタ１７に対して解除部材１８がシャッタ１７を閉じる方向、すなわち図２３Ａにおいて上方に相対的に移動している。
【００３０】
このようなロック状態において、図２４Ｂに示すように、シャッタ１７に対して解除部材１８をロック解除方向、すなわちシャッタ１７を開く方向に摺動させる。このときに解除部材１８の貫通穴４９のストローク方向の寸法と爪３９の同方向の寸法とのクリアランス分だけ解除部材１８がシャッタ１７に対して図２４Ｂにおいて下方へ移動する。そしてこのときに解除部材１８の凹部４７の上端側のカム４８がロック板１９を押して同図においてロック板１９を左方へ押圧する。すなわち解除部材１８のロック解除方向への移動によって、ロック板１９のロック孔５８が爪３９から離れるように側方に移動し、これによって爪３９の貫通孔４９から突出する先端部がロック板１９のロック孔５８から相対的に離脱する。これによってロック解除動作が行なわれる。
【００３１】
またロック動作はねじりばね２０によって解除部材１８をシャッタ１７の閉鎖方向、すなわち図２４Ａにおいて上方に移動させることにより達成される。同方向に解除部材１８を移動させると、この解除部材１８と爪３９を介して結合されているシャッタ１７が一緒に移動し、やがてこのシャッタ１７の爪３９が図２４Ａに示すように解除部材１８の凹部４７に落込んだ板ばね１９のロック孔５８に係合してロックが行なわれることになる。
【００３２】
図２５および図２６は、シャッタ１７がケーシング１０の下シェル１２の中心孔１３とアクセス用開口１４とを閉じた状態を示している。ここでケーシング１０はその上シェル１１を外して示しており、ここでは下シェル１２のみが示されている。下シェル１２の円形の凹部３０にディスク６５が収納されており、しかもシャッタ１７が中心孔１３とアクセス用開口１４とを閉じている。そしてシャッタ１７の爪３９が解除部材１８の貫通穴４９を貫通してロック板１９のロック孔５８内に入込んだ状態になっている。なおロック板１９はその一端の突部５７を上シェル１１と下シェル１２の凹部に保持して固定した状態になっている。
【００３３】
ここでシャッタ１７を図２５および図２６において左方に移動させようとしても、シャッタ１７の爪３９がロック板１９のロック孔５８のエッジに引掛かってシャッタ１７は開く方向には移動されない。上述の如くシャッタ１７には解除部材１８が具備されており、その貫通穴４９にシャッタ１７の爪３９が入込んでいる。解除部材１８の側部にはカム４８を有する凹部４７が形成され、この凹部４７にへの字状に屈曲したロック板１９が入込んでいる。そしてねじりコイルばね２０が解除部材１８を介してシャッタ１７を閉じる方向であって図２５および図２６において右方に押している。解除部材１８の貫通穴４９の左側の側壁部分がシャッタ１７の爪３９によってシャッタ１７を押し、このためにシャッタ１７は下シェル１２の当接段部６６（図２６参照）に突当って閉鎖位置を保持している。これがシャッタ１７が閉鎖してロックされた状態である。
【００３４】
これに対してシャッタ１７がケーシング１０の下シェル１２の中心孔１３とアクセス用開口１４とを完全に開放した状態が図２７および図２８に示される。解除部材１８が図示を省略した部材によってシャッタ１７を開く方向、すなわち図２７および図２８において左方に押されると、シャッタ１７のロックが解除され、解除部材１８がシャッタ１７の爪３９を貫通穴４９の右側の壁部で押して左方へ移動させる。
【００３５】
なおねじりばね２０はシャッタ１７が完全に開かれた状態においては、とくに図２７に示すようにシャッタ１７の側壁３８側の左側の側端を直接押すようになっており、解除部材１８から離間した状態にある。このような構造は、プラスチック部品から成る解除部材１８にねじりばね２０による力をかけずに済むようになり、これによって解除部材１８の高温環境下での変形をより確実に防止することが可能になる。
【００３６】
次にとくにシャッタ１７のロック機構の動作を順を追って説明する。図２９はシャッタ１７がケーシング１０の下シェル１２の中心孔１３とアクセス用開口１４とを閉じてロックされた状態を示している。この場合にはシャッタ１７の爪３９が解除部材１８の貫通穴４９を貫通し、その先端部がロック板１９のロック孔５８のエッジの部分によってロックされ、これによって図２９において右方への移動が阻止される。なおシャッタ１７の左端は上記下シェル１２の当接段部６６に当接し、これによって左方への移動も阻止される。
【００３７】
このようにシャッタ１７が閉鎖位置にあり、しかもロック板１９によってロックされた状態において、シャッタ１７をケーシング１０の下シェル１２の中心孔１３とアクセス用開口１４とを開く方向、すなわち図３０において右方へ移動させようとして、シャッタ１７のみを右方へ押圧した場合においても、シャッタ１７は開かない。これはシャッタ１７の爪３９が解除部材１８の貫通穴４９を貫通し、その先端部がロック板１９のロック孔５８に係合しており、このロック孔５８の右側のエッジの部分が爪３９と係合しているからである。
【００３８】
図２９に示すようにシャッタ１７がケーシング１０の下シェル１２の中心孔１３とアクセス用開口１４を閉じ、しかもシャッタ１７の爪３９がロック板１９のロック孔５８によってロックされている状態で、解除部材１８を図３１に示すように右方へ移動させると、この解除部材１８の側面に形成されている凹部４７の一側のカム４８がロック板１９を図３１に示すように下方へ変形させる。このようなロック板１９の屈曲部の下方への変形によって、シャッタ１７の爪３９の先端部であって解除部材１８の貫通孔４９から突出している部分がロック板１９のロック孔５８から相対的に離脱する。しかも解除部材１８は外部からの操作部材によってシャッタ１７の爪３９を介してシャッタ１７を図３１において右方に押圧している。従ってこの力がねじりばね２０によってシャッタ１７を閉じる方向に付勢する力よりも大きい場合には、シャッタ１７が開放される。
【００３９】
図３２Ａ、Ｂ、Ｃは外部から加えられた解除部材１８の力によって、ねじりばね２０に抗してシャッタ１７が右方へ移動していく動作、すなわちシャッタ１７の開放動作をとくにそのロック機構の部分によって示したものである。なおこのときにねじりばね２０はその両側のアームの部分が次第に近接するように変形している。
【００４０】
図３３はシャッタ１７がケーシング１０の下シェル１２の中心孔１３およびアクセス用開口１４を完全に開放するとともに、往動位置に完全に往動した状態を示している。このときに図３３から明らかなように、シャッタ１７を閉じる方向に付勢するねじりばね２０の中心部のコイル部分は下シェル１２の側端部の壁面６７に当接し、解除部材１８を押していたねじりばね２０の屈曲部６３側の部分の姿勢が大きく変化し、他方のアームの先端側の屈曲部６３の部分が解除部材１８の係合孔５４内において遊ぶとともにシャッタ１７の側端に直接当接するようになる。すなわちシャッタ１７が完全に開いた状態においては、解除部材１８がねじりコイルばね２０の弾性復元力を受けることがなく、その代りにシャッタ１７の図３３において右端の部分がねじりコイルばね２０の弾性復元力を受けるようになる。これによってプラスチック製の解除部材１８が変形するのが防止される。
【００４１】
一般にディスクカートリッジはディスクプレーヤに装着されると、ディスクプレーヤ内の解除機構によって上記解除部材１８を介してシャッタ１７が開放される。従ってディスクカートリッジがディスクプレーヤに装着された状態で長時間放置されると、シャッタ１７は開放状態で放置されることになる。とくに高温の雰囲気下においてシャッタ１７が開放状態で放置された場合には、ねじりばね２０か解除部材１８を介してシャッタ１７を押圧しようとする。これによって解除部材１８がクリープ変形を起し、シャッタ１８が閉まりきらなくなる不具合を生ずる。あるいはまたこのようなクリープ変形を起さない特殊な材料から解除部材１８を製作しなければならない。
【００４２】
ところが本実施の形態においては、とくに図３３に示すように、ねじりばね２０はシャッタ１７が開放された状態においてシャッタ１７に直接当接し、解除部材１８の係合孔５４とねじりばね２０の屈曲部６３との係合が解除されて屈曲部６３は解除部材１８の係合孔５４内において遊嵌された状態になる。従ってシャッタ１７が開放された状態においてはねじりばね２０の弾性復元力が解除部材１８に作用しなくなり、このために解除部材１８がクリープ変形を起すことがなく、解除部材１８のクリープ変形に伴うシャッタ１７の閉鎖不良が確実に回避される。
【００４３】
次に図３３に示すように完全に開放されたシャッタ１７を閉じる方向に移動させてケーシング１０の下シェル１２の中心孔１３とアクセス用開口１４とを閉じる動作を図３４によって説明する。上記解除部材１８を右方に押圧する力を解除すると、ねじりばね２０の弾性復元力によって解除部材１８が図３４Ａにおいて左方に押圧される。これによって解除部材１８が左方に移動する。そしてこの解除部材１８の左端であってその下面の部分が図３４Ａに示すように板ばね１９の屈曲部の上面を変形させるように押圧する。シャッタ１７はその爪３９が解除部材１８の貫通穴４９を貫通しているために、解除部材１８のねじりばね２０による移動に応じて、シャッタ１７も一緒に図３４Ａに示すように左方に移動する。
【００４４】
図３４Ｂに示すようにロック板１９を下方に押圧した状態で解除部材１８のカム４８を有する凹部４７がロック板１９の上部まで移動する。ところが解除部材１８が図３４Ｂに示す位置まで左方に移動しても、ロック板１９はシャッタ１７の爪３９の先端部と当接し、このためにロック板１９は解除部材１８のカム４８を有する凹部４７内には侵入できない。
【００４５】
ねじりコイルばね２０によって解除部材１８とシャッタ１７とが図３４Ｃに示す位置までさらに下方に移動すると、この位置においてシャッタ１７の爪３９がロック板１９のロック孔５８の中に入るために、シャッタ１７がこの爪３９を介してロック板１９によってロックされる。同時にこのときにロック板１９はその弾性復元力によって解除部材１８の凹部４７内に入込むことになる。なおシャッタ１７の爪３９と解除部材１８の貫通穴４９とはそのストローク方向、すなわち図３４において左右の方向にクリアランスを有し、このために解除部材１８とシャッタ１７とはさらに左方に移動できる。そしてこのような移動ストロークが部品公差のマージンになる。
【００４６】
このようなロック機構によると、図１７〜図１９に示すほぼへの字状に屈曲した板ばねから成るロック板１９によってロック部材を構成することが可能になり、ロック機構の大幅な省スペース化が可能になる。またシャッタ１７の開放時には解除部材１８によってロック板１９を押して変形させ、シャッタ１７の爪３９をロック板１９のロック孔５８から開放し、ロック時にはシャッタ１７の爪３９がロックされるまでロック板１９をばね２０によって押すことにより、シャッタ１７が閉じてロックされる。すなわち解除部材１８とシャッタ１７の移動ストロークのマージンを設け、このことによってロック機構を成立させることが可能になる。
【００４７】
以上本願発明を図示の実施の形態によって説明したが、本願発明は上記実施の形態によって限定されることなく、本願に含まれる発明の技術的思想の範囲内で各種の変更が可能である。例えば上記実施の形態におけるケーシング１０の具体的な形状や、ロック機構を構成する各種の部品の寸法比あるいはその形状等については、その設計目的に応じて各種の変更が可能である。
【産業上の利用可能性】
【００４８】
本願発明は光ディスクプレーヤによって信号の書込みあるいは読出しを行なうための光ディスクプレーヤのカートリッジ型の記録媒体として広く利用可能である。
【図面の簡単な説明】
【００４９】
【図１】ディスクカートリッジの分解斜視図である。
【００５０】
【図２】上シェルの平面図である。
【００５１】
【図３】上シェルの底面図である。
【００５２】
【図４】上シェルの正面図である。
【００５３】
【図５】下シェルの平面図である。
【００５４】
【図６】下シェルの底面図である。
【００５５】
【図７】下シェルの正面図である。
【００５６】
【図８】図５におけるＡ〜Ａ線断面図である。
【００５７】
【図９】シャッタの平面図である。
【００５８】
【図１０】シャッタの正面図である。
【００５９】
【図１１】シャッタの側面図である。
【００６０】
【図１２】シャッタの斜視図である。
【００６１】
【図１３】シャッタの要部拡大斜視図である。
【００６２】
【図１４】解除部材の平面図である。
【００６３】
【図１５】解除部材の正面図である。
【００６４】
【図１６】解除部材の斜視図である。
【００６５】
【図１７】ロック板の平面図である。
【００６６】
【図１８】ロック板の正面図である。
【００６７】
【図１９】ロック板の斜視図である。
【００６８】
【図２０】ねじりばねの平面図である。
【００６９】
【図２１】ねじりばねの正面図である。
【００７０】
【図２２】ねじりばねの斜視図である。
【００７１】
【図２３】シャッタのロック機構の分解斜視図である。
【００７２】
【図２４】シャッタのロック状態およびロック解除状態の要部平面図である。
【００７３】
【図２５】シャッタを閉じた状態のディスクカートリッジの平面図である。
【００７４】
【図２６】シャッタを閉じた状態のディスクカートリッジの正面図である。
【００７５】
【図２７】シャッタを開いた状態のディスクカートリッジの平面図である。
【００７６】
【図２８】シャッタを開いた状態のディスクカートリッジの正面図である。
【００７７】
【図２９】シャッタを閉じた状態のロック機構の要部平面図である。
【００７８】
【図３０】解除部材を押すことなくシャッタのみを開く方向に押圧した場合の平面図である。
【００７９】
【図３１】ロック解除の状態を示すロック機構の平面図である。
【００８０】
【図３２】シャッタの開放動作を示すロック機構の平面図である。
【００８１】
【図３３】シャッタが完全に開放された状態のロック機構の平面図である。
【００８２】
【図３４】シャッタを閉じる動作を示すロック機構の要部平面図である。
【符号の説明】
【００８３】
１０‥‥ケーシング、１１‥‥上シェル、１２‥‥下シェル、１３‥‥中心孔、１４‥‥アクセス用開口、１７‥‥シャッタ、１８‥‥解除部材、１９‥‥ロック板（板ばね）、２０‥‥ねじりばね、２３‥‥ラベル貼付け用凹部、２４‥‥結合用ビス穴、２５‥‥円形の凹部、２７‥‥係止溝、３０‥‥円形の凹部、３１‥‥ボス、３２‥‥雌ねじ孔、３３‥‥段部、３４‥‥摺動用凹部、３５‥‥深い凹部、３６‥‥係止溝、３８‥‥側壁、３９‥‥爪、４０‥‥保持片、４１‥‥突片、４２、４３‥‥被係止部、４４‥‥屈曲部、４７‥‥凹部、４８‥‥カム、４９‥‥貫通穴、５０、５１‥‥段部、５２‥‥切込み、５３‥‥連結部、５４‥‥係合孔、５７‥‥突部、５８‥‥ロック孔、５９‥‥受け面、６２、６３‥‥屈曲部、６５‥‥ディスク、６６‥‥当接段部、６７‥‥壁面、６８‥‥溝
【図１】
2005038562.tif 000003
【図２】
2005038562.tif 000004
【図３】
2005038562.tif 000005
【図４】
2005038562.tif 000006
【図５】
2005038562.tif 000007
【図６】
2005038562.tif 000008
【図７】
2005038562.tif 000009
【図８】
2005038562.tif 000010
【図９】
2005038562.tif 000011
【図１０】
2005038562.tif 000012
【図１１】
2005038562.tif 000013
【図１２】
2005038562.tif 000014
【図１３】
2005038562.tif 000015
【図１４】
2005038562.tif 000016
【図１５】
2005038562.tif 000017
【図１６】
2005038562.tif 000018
【図１７】
2005038562.tif 000019
【図１８】
2005038562.tif 000020
【図１９】
2005038562.tif 000021
【図２０】
2005038562.tif 000022
【図２１】
2005038562.tif 000023
【図２２】
2005038562.tif 000024
【図２３】
2005038562.tif 000025
【図２４】
2005038562.tif 000026
【図２５】
2005038562.tif 000027
【図２６】
2005038562.tif 000028
【図２７】
2005038562.tif 000029
【図２８】
2005038562.tif 000030
【図２９】
2005038562.tif 000031
【図３０】
2005038562.tif 000032
【図３１】
2005038562.tif 000033
【図３２】
2005038562.tif 000034
【図３３】
2005038562.tif 000035
【図３４】
2005038562.tif 000036